(57)【要約】
【課題】
　切断するものの性質や大きさに応じて、一つの鋸鎌において刃線の使用位置を変えることによって、異なる目の大きさの鋸歯によって良好な切断状況で切断作業を行うことができる鋸鎌を提供する。
【解決手段】
　刃板１の基方部分に大きな目の鋸歯２を、先方部分に小さな目の鋸歯２を形成する。刃板１に形成する鋸歯２は、刃線３の全長にわたって刃板１の刃幅方向に対して一定の傾斜角度であると同時に刃線３方向に対して一定の傾斜角度の切除面４を所定ピッチＰごとに形成することによって形成する。このとき、刃板１の基方部分における切除面４と切除面４のピッチを大きく、刃板１の先方部分に向けて切除面４と切除面４のピッチＰを次第に小さくすることによって、基方部分に大きな目の鋸歯２を、先方部分に小さな目の鋸歯２を形成する。
【選択図】　図１
0003099611.tif 000002
【実用新案登録請求の範囲】
【請求項１】
　刃板の基方部分に大きな目の鋸歯を、先方部分に小さな目の鋸歯を形成するものであって、基方の大きな目から先方の小さな目に次第に変化することを特徴とする鋸鎌。
【請求項２】
　刃板に形成する鋸歯は、刃線の全長にわたって刃板の刃幅方向に対して一定の傾斜角度であると同時に刃線方向に対して一定の傾斜角度の切除面を所定ピッチごとに形成することによって形成したものであり、刃板の基方部分における切除面と切除面のピッチを大きく、刃板の先方部分に向けて切除面と切除面のピッチを次第に小さくすることによって形成されていることを特徴とする請求項１記載の鋸鎌。
【考案の詳細な説明】
【技術分野】
【０００１】
　この考案は、主として稲や麦の刈取り作業や野菜の収穫作業などに使用する鋸鎌に関する考案である。
【背景技術】
【０００２】
　主として稲や麦の刈取り作業には鋸歯状の歯を備えた鋸鎌が、従来から広く利用されている。ところが、従来の鋸鎌は、鋸歯の大きさが刃線の全長にわたって同じ大きさの目を配置し、基方部分と先方部分とが同じ条件で切断作業が行われるものであった。したがって、例えば稲を刈取る場合においては刃線の基方部分でも先方部分でも同じ条件で切断、すなわち同じ条件で刈取り作業が行われるものであった。
【考案の開示】
【考案が解決しようとする課題】
【０００３】
　従来の鋸鎌では、刃線の全長にわたって同じ大きさの鋸歯が形成されているため、一つの鋸鎌を使用して異なる作業、例えば通常の稲刈りなどの収穫作業と小さな野菜の収穫作業、あるいは細い紐の切断作業などを行う場合には、大きな鋸歯で小さなものや細い紐の切断作業を行うことになっていた。そのため、一つの鋸鎌を用いて能率的に作業を行うことができないという欠点があった。
【０００４】
　上記従来技術の欠点に鑑み、本考案は切断するものの性質や大きさに応じて、一つの鋸鎌において刃線の使用位置を変えることによって、異なる目の大きさの鋸歯によって切断作業を行うことができる鋸鎌を提供せんとするものである。
【課題を解決するための手段】
【０００５】
　上記、従来技術の欠点を解消するため、請求項１記載の考案は刃板１の基方部分に大きな目の鋸歯２を、先方部分に小さな目の鋸歯２を形成するものである。そして、鋸歯の大きさ、すなわち目の大きさは、基方に配置される大きな目の鋸歯から先方に配置される小さな目の鋸歯に次第に変化させる。
【０００６】
　請求項２記載の考案は，刃板１に形成する鋸歯２の形状に関するものである。刃板１に形成する鋸歯２は、刃線３の全長にわたって刃板１の刃幅方向に対して一定の傾斜角度であると同時に刃線３方向に対して一定の傾斜角度の切除面４を所定ピッチＰごとに形成することによって形成する。すなわち、傾斜方向の切除面４を所定ピッチＰごとに形成することによって鋸歯２を形成する。このとき、刃板１の基方部分における切除面４と切除面４のピッチを大きく、刃板１の先方部分に向けて切除面４と切除面４のピッチＰを次第に小さくすることによって、基方部分に大きな目の鋸歯２を、先方部分に小さな目の鋸歯２を形成する。
【考案の効果】
【０００７】
　請求項１記載の本考案鋸鎌によれば一つの鋸鎌を利用して、大きな目の鋸歯で切断するのに適した作業と、小さな目の鋸歯で切断するのに適した作業を行うことができる。例えば、刃線３の基方部分で草刈りなどを行うとともに、刃線３の先方部分を利用して小さな果菜や葉菜類の収穫を行うことができる。
【０００８】
　請求項２記載の考案によれば、刃板１に形成される鋸歯２の形状が、刃線３の基方部分に形成されるものと先方部分に形成されるものとが相似形で変化し、切断作用に適した歯形で全体を形成することができる。そして、同じ条件の目打ち作業を、送りピッチを順次変更することによって容易に製造することができる。
【考案を実施するための最良の形態】
【０００９】
　以下、本考案に係る鋸鎌の好ましい実施形態を添付の図面に基づいて説明する。
図１は、本考案に係る鋸鎌の正面図、図２は背面図である。柄５の先端に装着される鋸鎌の刃板１は、湾曲しながら先細りとなる形状であって、湾曲の内側縁に多数の鋸歯２を形成している。すなわち、湾曲の内側縁を刃線３として柄５を手に持って稲刈りや草刈りなどの切断作業を行うことができるものである。
【００１０】
　刃板１の内側縁に沿って形成する多数の鋸歯２,２は、刃線３の基方部分に位置するものを大きなピッチＰで、刃線３の先方部分に位置するものを小さなピッチで形成し、大きなピッチから小さなピッチに次第に変化する状態で形成する。ピッチＰの具体的寸法は、鋸鎌の用途によって適宜設定することができる。この構成とすることによって、一つの鋸鎌によって複数種類の切断作業、あるいは作業中の状況変化に素早く対応することができるものである。以上述べたように、刃板１の内側縁には鋸歯２が形成されるが、外側縁には細幅の反り部６を折曲形成している。この反り部６の存在によって、刈取り作業などに際して背部分が地面に接触せず作業性を向上するとともに強度的に優れたものとなる。
【００１１】
　刃板１に形成する鋸歯２は、例えばたがねの目打ち作業によって一目ごとに手作業で形成するなど、任意の方法によって形成することができるものである。しかしながら本考案者らは、より生産性に優れた形状の鋸目の構成を工夫した。すなわち、刃板１に形成する鋸歯２は、図６に示すように刃線３の全長にわたって刃板１の刃幅方向に対して一定の傾斜角度βであると同時に、図３及び図４に示すように刃線３方向に対して一定の傾斜角度αの切除面４を所定ピッチＰごとに形成する。
【００１２】
　上記、切除面４,４を大きなピッチＰで形成する刃線３の基方部分においては、図３に示すように隣接する切除面が十分な間隔で形成される。これに対し、同じ条件の切除面を小さな間隔で形成する刃線３の先方部分においては、図４に示すように隣接する切除面４と切除面４とが重なりあいながら、すなわち先の切除面と一部が重なりあう状態で次位の切除面４が形成されることになる。このように一定の切除面４,４を所定ピッチＰで設けることによって形成される鋸歯２,２は、その形状が相似形であって、大きさの異なるものとなるため、鋸歯の形状を切断機能として最も好ましいものとしておくことによって全体として優れた切断性能の鋸鎌を実現することができる。
【００１３】
　刃板１の内側縁に鋸歯２を形成する、すなわち所定ピッチごとに切除面４を形成するには、例えば一定角度の研削を所定の送り、すなわち順次送り量を変化させることによって切除面を形成することができる。しかしながら、より簡単な方法として、刃板１の内側縁部分の表面から、たがねによる押圧(プレス)加工を所定ピッチごとに施し、刃板の裏面から刃板表面の研削加工を行うことによって、刃線の基方部分から先方部分に向けて目の大きさが次第に小さく変化する鋸歯２,２を形成することができる。
　図３においては、研削手段もしくは押圧手段である加工工具10を二点鎖線で示し、その進退方向を矢印で示している。
【００１４】
　押圧加工によって変形させた刃板１の裏面に施す研削加工は、図５に示すように緩い角度の第一研削面７と、急角度の第二研削面によって構成することができる。すなわち、緩い角度の第一研削面７によって、刃板１の刃線３側が薄くなる刃板の全体形状を形成し、側縁部分に急角度の第二研削面８を設けることによって鋭利な切れ刃９を備えた鋸歯２を形成することができる。
【００１５】
　以上述べた鋸鎌は、主として稲・麦刈り及び草刈り、さらに野菜の収穫などに利用し、例えば細紐の切断なども同時に行えるものであるが、その用途及び用途の組み合わせは特に限定されるものではない。そして、使用目的、用途などによって鋸鎌全体の大きさ、鋸目の大きさの変化は自由に決定することができるものである。
【図面の簡単な説明】
【００１６】
【図１】本考案に係る鋸鎌全体の正面図、
【図２】本考案に係る鋸鎌全体の背面図、
【図３】図１のIII-III線拡大断面図、
【図４】図１のIV-IV線拡大断面図、
【図５】図１のV-V線拡大断面図、
【図６】図１のVI-VI線拡大断面図。
【符号の説明】
【００１７】
１…刃板、　２…鋸歯、　３…刃線、　４…切除面、　５…柄、　６…反り部、　７…第一研削面、　８…第二研削面、　９…切れ刃、　10…加工工具。
【図１】
0003099611.tif 000003
【図２】
0003099611.tif 000004
【図３】
0003099611.tif 000005
【図４】
0003099611.tif 000006
【図５】
0003099611.tif 000007
【図６】
0003099611.tif 000008